【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
基地局に用いられるアクセス処理方法において、
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するステップと、
前記第１ネットワークに対応する第１コアネットワークおよび前記第２ネットワークに対応する第２コアネットワークのうち、前記基地局から接続可能なコアネットワークである目標コアネットワークを特定するステップと、
前記目標ＮＡＳメッセージを前記目標コアネットワークに送信するステップとを含むアクセス処理方法。
【請求項２】
前記目標ＮＡＳメッセージに対応するネットワークと前記目標コアネットワークに対応するネットワークとは異なる場合に前記目標コアネットワークから返信されたアクセス拒否メッセージを受信するステップと、
アクセス拒否メッセージを前記移動通信端末に送信し、ＮＡＳメッセージを変更して改めてアクセスフローを引き起こすように前記移動通信端末に通知するステップとをさらに含む請求項１に記載のアクセス処理方法。
【請求項３】
前記基地局から接続可能なコアネットワークに対応するネットワークを指示するネットワーク情報を送信することによって、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するように前記移動通信端末に指示するステップをさらに含む請求項１に記載のアクセス処理方法。
【請求項４】
前記アクセス要求には、前記目標ＮＡＳメッセージに対応するネットワークのネットワークＩＤがさらに付帯され、
目標コアネットワークを特定するステップにおいて、
前記ネットワークＩＤで指示されるネットワークに対応するコアネットワークを、前記目標コアネットワークとして特定する請求項３に記載のアクセス処理方法。
【請求項５】
前記基地局から接続可能なコアネットワークに対応するネットワークのネットワーク情報を送信するステップにおいて、
システム情報ブロックＳＩＢまたは無線リソース制御ＲＲＣシグナリングによって前記ネットワーク情報を付帯する請求項３に記載のアクセス処理方法。
【請求項６】
第１ネットワークおよび第２ネットワークに接続可能な移動通信端末に用いられるアクセス処理方法において、
前記第１ネットワークに対応する第１ＮＡＳメッセージおよび／または前記第２ネットワークに対応する第２ＮＡＳメッセージである目標ＮＡＳメッセージを選択するステップと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップと、
目標コアネットワークから返信された応答メッセージを前記基地局によって受信するステップとを含むアクセス処理方法。
【請求項７】
前記応答メッセージとして、目標ＮＡＳメッセージに対応するネットワークと前記目標コアネットワークに対応するネットワークとは異なることを指示するアクセス拒否メッセージであると、目標ＮＡＳメッセージとは異なるＮＡＳメッセージを新たな目標ＮＡＳメッセージとして前記第１ＮＡＳメッセージおよび第２ＮＡＳメッセージから選択し、改めてアクセスフローを引き起こすステップをさらに含む請求項６に記載のアクセス処理方法。
【請求項８】
前記基地局から接続可能なコアネットワークに対応するネットワークを指示するネットワーク情報を前記基地局から受信するステップをさらに含み、
目標ＮＡＳメッセージを選択するステップは、具体的に、
前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択する請求項６に記載のアクセス処理方法。
【請求項９】
前記アクセス要求には、前記目標ＮＡＳメッセージに対応するネットワークのネットワークＩＤがさらに付帯されることによって、前記ネットワークＩＤで指示されるネットワークに対応するコアネットワークを前記目標コアネットワークとして特定するように前記基地局に指示する請求項８に記載のアクセス処理方法。
【請求項１０】
前記基地局から送信されたネットワーク情報を受信するステップにおいて、
システム情報ブロックＳＩＢまたは無線リソース制御ＲＲＣシグナリングによって前記ネットワーク情報を受信する請求項８に記載のアクセス処理方法。
【請求項１１】
前記目標ＮＡＳメッセージは、
前記第１ネットワークに対応する第１ＮＡＳメッセージおよび前記第２ネットワークに対応する第２ＮＡＳメッセージであり、
応答メッセージに対応するネットワークに基づいて、前記目標コアネットワークを特定するステップをさらに含む請求項６に記載のアクセス処理方法。
【請求項１２】
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することに用いられる第１受信モジュールと、
前記第１ネットワークに対応する第１コアネットワークおよび前記第２ネットワークに対応する第２コアネットワークのうち、前記基地局から接続可能なコアネットワークである目標コアネットワークを特定することに用いられる第１選択モジュールと、
前記目標ＮＡＳメッセージを前記目標コアネットワークに送信することに用いられる第１送信モジュールとを含む基地局。
【請求項１３】
前記目標ＮＡＳメッセージに対応するネットワークと前記目標コアネットワークに対応するネットワークとは異なる場合に前記目標コアネットワークから返信されたアクセス拒否メッセージを受信することに用いられる第２受信モジュールと、
アクセス拒否メッセージを前記移動通信端末に送信し、ＮＡＳメッセージを変更して改めてアクセスフローを引き起こすように前記移動通信端末に通知することに用いられる第２送信モジュールと、
前記基地局から接続可能なコアネットワークに対応するネットワークを指示するネットワーク情報を送信することによって、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するように前記移動通信端末に指示することに用いられる第３送信モジュールを含む請求項１２に記載の基地局。
【請求項１４】
前記アクセス要求には、前記目標ＮＡＳメッセージに対応するネットワークのネットワークＩＤがさらに付帯され、
前記第１選択モジュールは、具体的に、
前記ネットワークＩＤで指示されるネットワークに対応するコアネットワークを前記目標コアネットワークとして特定することに用いられ、
前記第３送信モジュールは、具体的に、
システム情報ブロックＳＩＢまたは無線リソース制御ＲＲＣシグナリングによって前記ネットワーク情報を付帯することに用いられる請求項１３に記載の基地局。
【請求項１５】
第１ネットワークおよび第２ネットワークに接続可能な移動通信端末において、
前記第１ネットワークに対応する第１ＮＡＳメッセージおよび／または前記第２ネットワークに対応する第２ＮＡＳメッセージである目標ＮＡＳメッセージを選択することに用いられる第２選択モジュールと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することに用いられる第４送信モジュールと、
目標コアネットワークから返信された応答メッセージを前記基地局によって受信することに用いられる第３受信モジュールとを含む移動通信端末。